【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
移動局のためのネットワーク選択方法であって、
該方法は、
非ホーム通信ネットワークを選択し、該非ホーム通信ネットワークと動作することと、
該非ホーム通信ネットワークを用いて、受信不可能範囲状態から信号受信可能範囲を回復した後に、
該移動局が動作している受信可能範囲エリア内の複数の通信ネットワークを識別するようにスキャニングするアクトと、
該移動局のホーム通信ネットワークが、該スキャニングによって利用可能であると識別された場合、該ホーム通信ネットワークを選択し、該ホーム通信ネットワークと動作するアクトと、
それ以外の場合に、該非ホーム通信ネットワークが、該スキャニングによって利用可能であると識別された場合、該非ホーム通信ネットワークで動作を続けるアクトと
を実行することと
を包含する、方法。
【請求項２】
前記非ホーム通信ネットワークは、前記方法の間、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項１に記載の方法。
【請求項３】
前記ホーム通信ネットワークは、前記移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項１に記載の方法。
【請求項４】
それ以外の場合に、前記非ホーム通信ネットワークが、前記スキャニングによって利用不可能であると識別された場合、優先順位をつけられたネットワークリストに基づいて、代替の通信ネットワークを選択し、該代替の通信ネットワークと動作することをさらに包含する、請求項１に記載の方法。
【請求項５】
前記スキャニングするアクトは、前記受信可能範囲エリアにおいて利用可能なそれぞれの通信ネットワークに対して、ＭＣＣ（Ｍｏｂｉｌｅ  Ｃｏｕｎｔｒｙ  Ｃｏｄｅ）とＭＮＣ（Ｍｏｂｉｌｅ  Ｎｅｔｗｏｒｋ  Ｃｏｄｅ）との対を受信することを包含する、請求項１に記載の方法。
【請求項６】
前記通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項１に記載の方法。
【請求項７】
移動局であって、
無線送受信装置と、
該無線送受信装置に結合されているアンテナと、
該無線送受信装置に結合されている１つ以上のプロセッサと
を備え、
該１つ以上のプロセッサは、通信ネットワークを用いて通信するために、
非ホーム通信ネットワークを選択し、該非ホーム通信ネットワークと動作し、
該非ホーム通信ネットワークを用いて、受信不可能範囲状態から信号受信可能範囲を回復した後に、
該移動局が動作している受信可能範囲エリア内の複数の通信ネットワークを識別するようにスキャニングするアクトと、
該移動局のホーム通信ネットワークが、該スキャニングによって利用可能であると識別された場合、該ホーム通信ネットワークを選択し、該ホーム通信ネットワークと動作するアクトと、
それ以外の場合、該非ホーム通信ネットワークが、該スキャニングによって利用可能であると識別された場合、該非ホーム通信ネットワークと動作を続けるアクトと
が実行されるようにすることにより、
該通信ネットワークを選択するように構成されている、移動局。
【請求項８】
前記非ホーム通信ネットワークは、前記方法の間、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項７に記載の移動局。
【請求項９】
前記ホーム通信ネットワークは，前記移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項７に記載の移動局。
【請求項１０】
それ以外の場合に、前記非ホーム通信ネットワークが、前記スキャニングによって利用不可能であると識別された場合、優先順位をつけられたネットワークリストに基づいて、代替の通信ネットワークを選択し、該代替の通信ネットワークと動作することをさらに包含する、請求項７に記載の移動局。
【請求項１１】
前記スキャニングは、前記受信可能範囲エリアにおいて利用可能なそれぞれの通信ネットワークに対して、ＭＣＣ（Ｍｏｂｉｌｅ  Ｃｏｕｎｔｒｙ  Ｃｏｄｅ）とＭＮＣ（Ｍｏｂｉｌｅ  Ｎｅｔｗｏｒｋ  Ｃｏｄｅ）との対の受信を含む、請求項７に記載の移動局。
【請求項１２】
前記通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項７に記載の移動局。
【請求項１３】
通信システムであって
第１の非ホーム通信ネットワークと、
第２の通信ネットワークと、
該第１の非ホーム通信ネットワークおよび該第２の通信ネットワークと動作可能である１つ以上の移動局と
を備え、
該１つ以上の移動局は、ホーム通信ネットワークとして指定された該第２の通信ネットワークを有し、
該１つ以上の移動局は、
該第１の非ホーム通信ネットワークを選択し、該第１の非ホーム通信ネットワークと動作し、
該第１の非ホーム通信ネットワークを用いて、受信不可能範囲状態から信号受信可能範囲を回復した後に、
該移動局が動作している受信可能範囲エリア内の複数の通信ネットワークを識別するようにスキャニングするアクトと、
該移動局のホーム通信ネットワークが、該スキャニングによって、利用可能であると識別された場合、該ホーム通信ネットワークを選択し、該ホーム通信ネットワークと動作するアクトと、
それ以外の場合に、該第１の非ホーム通信ネットワークが、該スキャニングによって、利用可能であると識別された場合、該非ホーム通信ネットワークと動作を続けるアクトと
が実行されるようにするように動作可能である、通信システム。
【請求項１４】
前記第１の非ホーム通信ネットワークは、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）と動作中、該ＲＰＬＭＮを備えている、請求項１３に記載の通信システム。
【請求項１５】
前記ホーム通信ネットワークは、前記１つ以上の移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項１３に記載の通信システム。
【請求項１６】
それ以外の場合に、前記第１の非ホーム通信ネットワークが、前記スキャニングによって利用不可能であると識別された場合、優先順位をつけられたネットワークリストに基づいて、代替の通信ネットワークを選択し、該代替の通信ネットワークと動作することをさらに包含する、請求項１３に記載の通信システム。
【請求項１７】
前記通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項１３に記載の通信システム。
【請求項１８】
移動局のためのネットワーク選択方法であって、
該方法は、
該移動局に対する通信ネットワークを手動で選択するユーザー入力を受信することと、
該ユーザー入力に応答して、該手動で選択された通信ネットワークを選択し、該手動で選択された通信ネットワークと動作することと、
該通信ネットワークを用いて、受信可能範囲状態から信号受信可能範囲を回復した後、または電源オフの状態から電源オンの後に、
該移動局が動作している受信可能範囲エリア内の複数の通信ネットワークを識別するようにスキャニングするアクトと、
該スキャニングから識別されたものとして、該通信ネットワークが利用可能であり、かつ、該移動局のホーム通信ネットワークが利用不可能である場合、該通信ネットワークと動作を続けるアクトと、
該スキャニングから識別されたものとして、該ホーム通信ネットワークが利用可能である場合、該ホーム通信ネットワークの手動選択のために、視覚入力プロンプトが表示されるようにするアクトと
が実行されるようにすることと
を包含する、方法。
【請求項１９】
前記ホーム通信ネットワークは、前記移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項１８に記載の方法。
【請求項２０】
前記通信ネットワークは、前記方法の間に、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項１８に記載の方法。
【請求項２１】
前記通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項１８に記載の方法。
【請求項２２】
前記視覚入力プロンプトに応答して、前記ホーム通信ネットワークを手動で選択するユーザー入力を受信することと、
該ユーザー入力に応答して、該ホーム通信ネットワークを登録し、該ホーム通信ネットワークと動作することと
をさらに包含する、請求項１８に記載の方法。
【請求項２３】
移動局であって、
ユーザーインタフェースと、
無線送受信装置と、
該無線送受信装置に結合されているアンテナと、
該無線送受信装置に結合されている１つ以上のプロセッサと
を備え、
該１つ以上のプロセッサは、
該移動局に対する通信ネットワークを手動で選択するユーザー入力を該ユーザーインタフェースから受信し、
該ユーザー入力に応答して、該手動で選択された通信ネットワークを選択し、該手動で選択された通信ネットワークと動作し、
該手動で選択された通信ネットワークを用いて、受信不可能範囲状態から信号受信可能範囲を回復した後、または電源オフの状態から電源オンの後に、
該移動局が動作している受信可能範囲エリア内の複数の通信ネットワークを識別するようにスキャニングするアクトと、
該スキャニングから識別されたものとして、該通信ネットワークが利用可能であり、かつ、該移動局のホーム通信ネットワークが利用不可能である場合、該通信ネットワークと動作を続けるアクトと、
該スキャニングから識別されたものとして、該ホーム通信ネットワークが利用可能である場合、該ホーム通信ネットワークの手動選択のために、視覚入力プロンプトが表示されるようにするアクトと
が実行されるようにすることにより、該通信ネットワークの選択を提供するように構成されている、移動局。
【請求項２４】
前記ホーム通信ネットワークは、前記移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項２３に記載の移動局。
【請求項２５】
前記通信ネットワークは、前記方法の間、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項２３に記載の移動局。
【請求項２６】
前記通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項２３に記載の移動局。
【請求項２７】
前記１つ以上のプロセッサは、
前記視覚入力プロンプトに応答して、前記ホーム通信ネットワークを手動で選択するユーザー入力を受信し、
該ユーザー入力に応答して、該ホーム通信ネットワークを登録し、該ホーム通信ネットワークと動作するようにさらに構成されている、請求項２３に記載の移動局。
【請求項２８】
通信システムであって、
第１の通信ネットワークと、
第２の通信ネットワークと、
該第１の通信ネットワークおよび該第２の通信ネットワークと動作可能である１つ以上の移動局と
を備え、
該１つ以上の移動局は、ホーム通信ネットワークとして指定された該第２の通信ネットワークを有し、
該１つ以上の移動局は、
動作のために、該第１の通信ネットワークを手動で選択するユーザー入力を該移動局のユーザーインタフェースから受信し、
該ユーザー入力に応答して、該第１の通信ネットワークを選択し、該第１の通信ネットワークと動作し、
該第１の通信ネットワークを用いて、受信不可能範囲状態から信号受信可能範囲を回復した後、または電源オフの状態から電源オンの後に、
該移動局が動作している受信可能範囲エリア内の複数の通信ネットワークを識別するようにスキャニングするアクトと、
該スキャニングから識別されたものとして、該通信ネットワークが利用可能であり、かつ、該第２の通信ネットワークが利用不可能である場合、該第１の通信ネットワークと動作を続けるアクトと、
該スキャニングから識別されたものとして、該移動局の第２の通信ネットワークが利用可能である場合、該第２の通信ネットワークの手動選択のために、視覚入力プロンプトが表示されるようにするアクトと
が実行されるように動作可能である、通信システム。
【請求項２９】
前記第２の通信ネットワークは、前記１つ以上の移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項２８に記載の通信システム。
【請求項３０】
前記通信ネットワークは、前記移動局の動作中、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項２８に記載の通信システム。
【請求項３１】
前記通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項２８に記載の通信システム。
【請求項３２】
前記１つ以上の移動局は、
前記視覚入力プロンプトに応答して、前記第２の通信ネットワークを手動で選択するユーザー入力を受信し、
該ユーザー入力に応答して、該第２の通信ネットワークを登録し、該第２の通信ネットワークと動作するようにさらに動作可能である、請求項２８に記載の通信システム。